(57)【特許請求の範囲】
【請求項１】
伝送信号を送受信する送受信部と、メッセージやコマンド等の情報を入力する操作入力部と、各フォントサイズのフォントを用意し格納するフォント格納部と、前記送受信部により送受信される伝送信号が担う情報及び前記操作入力部のメッセージやコマンド等の情報を、前記フォント格納部に格納されているフォントサイズのフォントにより表示情報として表示する表示部と、前記送受信部により送受信される伝送信号が担う情報及び前記操作入力部から入力される情報の情報量を記号・文字数として計量する計量部とを備える伝送情報の表示機能を有する情報端末装置において、記号・文字数で表現された前記情報の前記情報量と、前記フォント格納部に格納されている複数のフォントサイズのいずれかを指定することができる複数の参照データとを比較して、前記情報を前記表示部に前記表示情報として表示する際に選択すべきフォントサイズを指定するための参照データを抽出する比較部と、前記送受信部により送受信される伝送信号が担う情報及び前記操作入力部から入力される情報の中から記号を含む連続する数字により特定される固有情報を検出する検出部とを有するとともに、前記固有情報を表現するフォントを特殊フォントとして前記フォント格納部に用意し、前記表示部に前記情報を前記表示情報として表示する際に、前記検出部が前記固有情報を検出していない場合は、前記計量部で計量された前記情報の前記情報量を、前記比較部において前記参照データと比較し、その比較結果により、選択すべきフォントサイズを指定するための参照データを抽出し、抽出された該参照データに基づいて、前記フォント格納部に格納されているフォントサイズを指定することにより、指定された前記フォントサイズの前記表示情報に対応する各フォントを前記フォント格納部から取り出して、前記表示情報として前記表示部に表示するようにし、一方、前記検出部が前記固有情報を検出している場合は、検出された前記固有情報については、前記フォント格納部から前記固有情報を表現する前記特殊フォントを取り出して、前記表示情報として前記表示部に表示するようにしたことを特徴とする伝送情報の表示機能を有する情報端末装置。
【請求項２】
伝送信号を送受信する送受信部と、メッセージやコマンド等の情報を入力する操作入力部と、各フォントサイズのフォントを用意し格納するフォント格納部と、前記送受信部により送受信される伝送信号が担う情報及び前記操作入力部のメッセージやコマンド等の情報を、前記フォント格納部に格納されているフォントサイズのフォントにより表示情報として表示する表示部と、前記送受信部により送受信される伝送信号が担う情報及び前記操作入力部から入力される情報の情報量を記号・文字数として計量する計量部とを備える伝送情報の表示機能を有する情報端末装置において、記号・文字数で表現された前記情報の前記情報量と、前記フォント格納部に格納されている複数のフォントサイズのいずれかを指定することができる複数の参照データとを比較して、前記情報を前記表示部に前記表示情報として表示する際に選択すべきフォントサイズを指定するための参照データを抽出する比較部と、前記送受信部により送受信される伝送信号が担う情報及び前記操作入力部から入力される情報の中から記号を含む連続する数字により特定される固有情報を検出する検出部とを有するとともに、前記操作入力部から入力されて、前記固有情報のみの表示を指示する編集コマンドを用意し、前記表示部に前記情報を前記表示情報として表示する際に、前記操作入力部から前記編集コマンドが入力されていない場合は、前記計量部で計量された前記情報の前記情報量を、前記比較部において前記参照データと比較し、その比較結果により、選択すべきフォントサイズを指定するための参照データを抽出し、抽出された該参照データに基づいて、前記フォント格納部に格納されているフォントサイズを指定することにより、指定された前記フォントサイズの前記表示情報に対応する各フォントを前記フォント格納部から取り出して、前記表示情報として前記表示部に表示するようにし、一方、前記操作入力部から前記編集コマンドが入力された場合は、前記情報の中から前記検出部により検出された前記固有情報のみを抽出して、前記フォント格納部から前記固有情報を表現するフォントを取り出して、前記表示情報として前記表示部に表示するようにしたことを特徴とする伝送情報の表示機能を有する情報端末装置。
【請求項３】
前記表示部の前記表示情報のフォントサイズを指定する前記参照データを前記操作入力部から入力される変更コマンドにより変更し、変更された前記参照データにより指定されるフォントサイズの前記表示情報に対応する各フォントを、前記フォント格納部から取り出して、前記表示情報として前記表示部に表示するようにしたことを特徴とする請求項１又は２に記載の伝送情報の表示機能を有する情報端末装置。
【発明の詳細な説明】
【０００１】
【発明の属する技術分野】
本発明は、伝送情報の表示機能を有する情報端末装置に関し、より詳細には、有線又は無線のアナログ又はデジタル回線を経由してデータやメッセージの送受信を行う、例えば、セルラー電話、ポケットベル（登録商標）、留守番電話装置やＰＤＡ（Ｐｅｒｓｏｎａｌ  Ｄｉｇｉｔａｌ  Ａｓｓｉｓｔａｎｔｓ）／ＰＩＴなどの情報携帯端末装置において、送受信されるメッセージの情報量に対応して文字、数字のフォントサイズ等を自動的に選択し、又はユーザのコマンドにより意図的に選択し、選択されたフォントで前記メッセージを表示する伝送情報の表示機能を有する情報端末装置に関する。
【０００２】
【従来の技術】
近年、情報端末装置は、携帯用のものが一般的となり、そのサイズもますます小型化し、また送受信されるメッセージやデータの内容が複雑化している。このことと連動して、表示部分に新たな工夫を施し表示される情報の視認性を高めたり、表示内容の誤認識をなくすことが考えられている。
例えば、通信端末装置において、表示手段が複数の操作項目とそれらのうち現在どの操作項目が選択されているかを明示するカーソルを表示するようになっていて、該表示手段は複数の表示サイズによって文字や数字を表示するものがある。
【０００３】
即ち、液晶ディスプレイの表示面に縦横に画素がマトリクス状に配列されており、該表示面に２種類のフォントで情報が表示できるようになっている。１つは１文字を少数のドットで表示する小フォントであり、他は多数のドットで表示する大フォントである。従って、小フォントを用いれば多くの文字を表示することができ、大フォントを用いれば少しの文字しか表示することができない。
【０００４】
ここで大フォントは原則としてユーザが入力する文字を表示するのに用い、小フォントは装置側のメッセージ等を表示するのに用いる。ただし、ユーザが入力する文字数が所定の文字数（例：２０文字）を越える場合にはフォントサイズは大フォントから小フォントへ切替えられるようになっている。
【０００５】
例えば、上段の行に装置側のメッセージが小フォントで表示されており、それに従ってユーザが入力を行う場合に、入力文字数が１０文字以下の場合は、上記小フォントの下段に大フォントで次々に表示されるが入力文字数が１０文字を越えると、それまで表示されていた上段のメッセージに代えて最初の１０文字が小フォントで表示され、下段に１１文字以降の文字が大フォントで表示される。やがて入力文字数が２０文字に達し、これを越えると、全ての入力文字が小フォントで表示されるといった具合のものである。
【０００６】
このようにフォントの切替機能が設けられていることにより入力文字数が少ない間は大きな文字で入力を確認しながら入力でき、誤入力を減らすことができるようになっている。
【０００７】
フォントの大きさを切替えるという考え方は、この他にワードプロセッサや文書作成が可能なコンピュータなどの文書処理装置においても採用されている。例えば罫線に囲まれた表の中に文字を記入するような、記入する部分の横幅が固定で、かつ、文字数が任意の場合には、その部分、部分でフォントサイズを決めなければならない煩しさがある。このため、入力文字数と既入力文字数を足し合わせ、新たに表示する文字数を算出し、これをフォントサイズ計算部に送って行サイズと算出された文字数から、当該行に納まる最大フォントサイズを自動的に計算し、表示部は算出されたフォントサイズでディスプレイに文字を表示するというものである。
【０００８】
要するに、このような従来の装置においては、ユーザによって入力されるメッセージに限定されており、入力文字数の計算によって制限された表示部への表示文字数をできるだけ多くするためにフォントを変更するものである。そのため大きいフォントから小さいフォントに変更することに限定されていた。また、入力文字数と既入力文字数を足し合わせると言った計算を行っているのでフォント変換に時間がかかっていた。
【０００９】
【発明が解決しようとする課題】
前記情報端末装置においては、送受信されるメッセージやデータの情報量に対応して当該画面に最もマッチしたフォントサイズで、メッセージ等を表示し、ディスプレイ画面に表示される情報の視認性を高めたり、誤認識をなくすという考え方はなく、大きな表示部をもつ装置であってもメッセージ量が少ない場合は、小さな文字でしか表示されないという問題点があった。
【００１０】
また、前記情報端末装置においては、送受信されるメッセージ等を、自分の好みのフォントサイズに自由に変換して画面表示することができないので、送受信メッセージの確認が容易に行なえず、送信の場合にはメッセージ等を誤送信する恐れがあるという問題点があった。
また、前記情報端末装置においては、送受信されるメッセージ等に含まれる記号を含む連続した数字を重要情報として認識し、その結果を表示に反映させようとする試みはなく、この重要情報としての記号を含む連続数字のみを特別に確認することはできないという問題点があった。また、記号を含む連続数字は、送信の場合に誤送信の恐れがあることは前記問題点と同じである。
さらに、前記情報端末装置においては、記号を含む連続数字のみを編集によって一画面上に表示することは行われていないので、前記記号を含む連続数字の確認のために特別に神経を集中させなければならないという問題点があった。
【００１１】
本発明は、これらの問題点に鑑みてなされたもので、情報端末装置において、送受信されるメッセージの情報量や重要度に対応して最適なフォントで前記メッセージを表示し、またメッセージを送信する場合には、誤送信の恐れのない伝送情報の表示機能を有する情報端末装置を提供することをその解決すべき課題とする。
【００１２】
【課題を解決するための手段】
請求項１の発明は、伝送信号を送受信する送受信部と、メッセージやコマンド等の情報を入力する操作入力部と、各フォントサイズのフォントを用意し格納するフォント格納部と、前記送受信部により送受信される伝送信号が担う情報及び前記操作入力部のメッセージやコマンド等の情報を、前記フォント格納部に格納されているフォントサイズのフォントにより表示情報として表示する表示部と、前記送受信部により送受信される伝送信号が担う情報及び前記操作入力部から入力される情報の情報量を記号・文字数として計量する計量部とを備える伝送情報の表示機能を有する情報端末装置において、記号・文字数で表現された前記情報の前記情報量と、前記フォント格納部に格納されている複数のフォントサイズのいずれかを指定することができる複数の参照データとを比較して、前記情報を前記表示部に前記表示情報として表示する際に選択すべきフォントサイズを指定するための参照データを抽出する比較部と、前記送受信部により送受信される伝送信号が担う情報及び前記操作入力部から入力される情報の中から記号を含む連続する数字により特定される固有情報を検出する検出部とを有するとともに、前記固有情報を表現するフォントを特殊フォントとして前記フォント格納部に用意し、前記表示部に前記情報を前記表示情報として表示する際に、前記検出部が前記固有情報を検出していない場合は、前記計量部で計量された前記情報の前記情報量を、前記比較部において前記参照データと比較し、その比較結果により、選択すべきフォントサイズを指定するための参照データを抽出し、抽出された該参照データに基づいて、前記フォント格納部に格納されているフォントサイズを指定することにより、指定された前記フォントサイズの前記表示情報に対応する各フォントを前記フォント格納部から取り出して、前記表示情報として前記表示部に表示するようにし、一方、前記検出部が前記固有情報を検出している場合は、検出された前記固有情報については、前記フォント格納部から前記固有情報を表現する前記特殊フォントを取り出して、前記表示情報として前記表示部に表示するようにしたことを特徴とし、もって、前記伝送情報を表示画面に最もマッチしたフォントサイズで表示すると共に、前記伝送情報のうち記号を含む連続した数字を視認性の高い表示とするものである。
【００１３】
請求項２の発明は、伝送信号を送受信する送受信部と、メッセージやコマンド等の情報を入力する操作入力部と、各フォントサイズのフォントを用意し格納するフォント格納部と、前記送受信部により送受信される伝送信号が担う情報及び前記操作入力部のメッセージやコマンド等の情報を、前記フォント格納部に格納されているフォントサイズのフォントにより表示情報として表示する表示部と、前記送受信部により送受信される伝送信号が担う情報及び前記操作入力部から入力される情報の情報量を記号・文字数として計量する計量部とを備える伝送情報の表示機能を有する情報端末装置において、記号・文字数で表現された前記情報の前記情報量と、前記フォント格納部に格納されている複数のフォントサイズのいずれかを指定することができる複数の参照データとを比較して、前記情報を前記表示部に前記表示情報として表示する際に選択すべきフォントサイズを指定するための参照データを抽出する比較部と、前記送受信部により送受信される伝送信号が担う情報及び前記操作入力部から入力される情報の中から記号を含む連続する数字により特定される固有情報を検出する検出部とを有するとともに、前記操作入力部から入力されて、前記固有情報のみの表示を指示する編集コマンドを用意し、前記表示部に前記情報を前記表示情報として表示する際に、前記操作入力部から前記編集コマンドが入力されていない場合は、前記計量部で計量された前記情報の前記情報量を、前記比較部において前記参照データと比較し、その比較結果により、選択すべきフォントサイズを指定するための参照データを抽出し、抽出された該参照データに基づいて、前記フォント格納部に格納されているフォントサイズを指定することにより、指定された前記フォントサイズの前記表示情報に対応する各フォントを前記フォント格納部から取り出して、前記表示情報として前記表示部に表示するようにし、一方、前記操作入力部から前記編集コマンドが入力された場合は、前記情報の中から前記検出部により検出された前記固有情報のみを抽出して、前記フォント格納部から前記固有情報を表現するフォントを取り出して、前記表示情報として前記表示部に表示するようにしたことを特徴とし、もって、前記伝送情報を表示画面に最もマッチしたフォントサイズで表示すると共に、前記伝送情報のうち重要情報である記号を含む連続した数字について視認性の高い表示とするものである。
【００１４】
請求項３の発明は、請求項１又は２の発明において、前記表示部の前記表示情報のフォントサイズを指定する前記参照データを前記操作入力部から入力される変更コマンドにより変更し、変更された前記参照データにより指定されるフォントサイズの前記表示情報に対応する各フォントを、前記フォント格納部から取り出して、前記表示情報として前記表示部に表示するようにしたことを特徴とし、もって、前記伝送情報を自分の好みの最も見やすいフォントサイズで表示するものである。
【００１６】
【発明の実施の形態】
（実施例１）
図１は、本発明による情報端末装置の実施例の構成をブロック図で示す。この実施例は、送受信されるメッセージやデータ（以下、メッセージ等という）の情報量に対応して自動的に表示画面の大きさに最もマッチしたフォントサイズで前記メッセージ等の情報を画面表示するものである。
図１において、信号ラインより入力され受信部１により受信されたメッセージ等の情報を担う伝送信号は、復調部２でベースバンド信号に復調され、データ検出部３において具体的な文字又は数字のデジタル信号として検出される。
【００１７】
ＣＰＵ部４はこのデシタル信号をＲＯＭ部６のライブラリデータベースに記憶されている内容と一致するかどうかレジスタ部５で比較し、前記デジタル信号がどの文字かあるいは数字かを確認する。その際、数字を含めその文字数が、記号・文字数で表現された情報量として、計量部を構成する文字数カウント部１４でカウントされると同時に、カウント数は後述する比較部１５に入力され、そこに記憶されているデータと比較され比較データがＣＰＵ部４に送られる。
【００１８】
図２（Ａ）は、図１に示される本発明による情報端末装置における比較部１５の構成をより詳細に示すブロック図である。
図２（Ａ）に示される比較部１５の動作を説明すると、前述のように文字数カウント部１４からの文字数データが比較部１５に入力されると、一旦入力文字用レジスタ１５ａに格納される。
【００１９】
そして、比較器１５ｂは、同図示のように、文字数毎に、１６文字まではデータ０、３２文字まではデータ１、６４文字まではデータ２、９６文字まではデータ３、９６文字以上はデータ４のようなフォント格納部８に格納されている複数のフォントサイズのいずれかを指定する複数の参照データを具備しておリ、前記レジスタ１５ａに格納された文字数データとの比較を行うことにより、比較結果として、例えば、０データなどフォントサイズに対応する参照データを抽出してＣＰＵ部４に送る。ＣＰＵ部４は抽出された参照データを表示制御部７に送り、表示制御部７は該参照データに基いてフォント格納部８より各参照データ毎に予め設定されたフォントサイズの中から対応するサイズのフォントを選択し、該フォントサイズで前記文字又は数字を表示情報として表示部９に表示させる。
ここに、フォント表示を行う場合の条件を例示すると、フォント格納部８におけるフォントサイズとして、Ａフォントは５×７ドット、Ｂフォントは７×１０ドット、Ｃフォントは１０×１４ドットとし、これ以外にも８×１２ドットが用いられ、また、表示部９として２００×１００ドット、或いは３２×６４ドットの画面とすることができる。
【００２０】
図３（Ａ），図３（Ｂ）は、受信されたメッセージ等が上記した動作に従って異なるフォントサイズで表示される例を示す。図３（Ａ）は文字数が少ない場合の表示例で、大フォントによっており、図３（Ｂ）は文字数が多い場合の表示例で、小フォントで表示され、文字数に応じ画面にマッチして伝送情報が表示される態様を示している。
【００２１】
また、図１において、キー操作部１０はメッセージやコマンドを入力又は送信するための各種キーを備え、１０ａは英数字を入力するための英数字キーである。いま、この英数字キー１０ａを用いて送信しようとするメッセージを構成する英数字を入力すると、入力された英数字は、ＣＰＵ部４に伝達され、上記受信メッセージ等の情報と同じ要領で、送信メッセージについても文字数カウント部１４でその記号・文字数が計数され、該記号・文字数で表現された情報量に対応して当該画面に最もマッチしたフォントサイズが選択され、そのフォントサイズでメッセージが表示部９に表示される。このとき、前記入力された英数字データはレジスタ部５に一旦格納される。
さらにキー操作部１０はレジスタ部５に格納された英数字データの送信命令を発信する送信キー１０ｂを備えている。ユーザは表示中のメッセージ内容を確認した後、前記キー操作部１０の送信キー１０ｂを押すことにより、上記の動作に従ってレジスタ部５に格納されていた英数字からなる情報はデータビット配置部１１で順列配置され、変調部１２で変調された後、該情報を担う伝送信号が送信部１３から送信される。
【００２２】
（実施例２）
本実施例は、画面に表示されているメッセージ等の表示情報のフォントサイズを操作入力により変更し得るようにするもので、この例では、図１の装置構成で送受信するメッセージ等をユーザが自由に自分の好みのフォントサイズに変換して画面表示することができるようにするものである。前記キー操作部１０は、表示部９に表示されているメッセージのフォントサイズをユーザの好みに合わせて、現在表示中のものから一つ上のサイズに変換するためのアップキー１０ｃと、一つ下のサイズに変換するためのダウンキー１０ｄを備えている。実施例１で述べた要領で、受信されたメッセージ等又は送信のために入力されたメッセージ等の情報は、表示画面に最もマッチしたフォントサイズで自動的に表示される。
【００２３】
ここで、ユーザが、自分の好みに合わせて、前記フォントサイズを変換したい場合は、例えば、アップキー１０ｃを変更コマンドとして押すと、ＣＰＵ部４は現在表示しているデータをレジスタ部５で確認して、表示部９の表示情報のフォントサイズを指定する参照データを変更し、現在のフォントを一つ上のフォントで表示するようコマンドを表示制御部７に指示し、そのコマンドを受けて該表示制御部７が、参照データを変更して一つ上の大きなフォントサイズをフォント格納部８から選択し、表示部９に表示する。
さらに、アップキー１０ｃを押すと、同様にＣＰＵ部４はさらに上のフォントサイズで表示するよう前記表示制御部７に指示し、該表示制御部７はさらに大きなフォントサイズで表示部９に表示させる。
逆にキー操作部１０のダウンキー１０ｄを押すとその指令に従い現在のフォントサイズにより一つ下のフォントサイズを選択し、そのフォントが表示される。
【００２４】
また、メッセージ等を送信する場合においても、送信用メッセージをキー操作部１０の英数字入力キー１０ａで入力すると、前述の要領で、まずメッセージ等の情報量に応じたフォントサイズで自動的に表示部９にメッセージ等が表示される。メッセージ等の重要度などによりもう一つ上のフォントサイズで確認してから送信するのが好ましいと判断されるときには、前記アップキー１０ｃを押すことで現在表示されているフォントサイズから一つ上のフォントサイズへと切換えることができる。
このようにユーザは、作成したメッセージ等を自分の好みのフォントサイズに変換し、自分にとって最も見やすい画面でメッセージ内容を確認し、メッセージの送信を行うことができる。
【００２５】
（実施例３）
本実施例は、図１に示される装置例への付加手段として構成されるもので、メッセージ等においてより重要な意味をもつ固有情報を提示するための手段を備えるもので、この例では、送受信メッセージに記号を含む連続した数字が含まれるような場合に、これらが電話番号や暗証であったりして重要な情報であるケースが多いことから、この記号を含む連続した数字のフォントを特殊フォントで表示しようとするものである。
【００２６】
図１において、いま、信号ラインより入力されたメッセージ等の情報を担う信号は、受信部１により受信され変調部２でベースバンド信号に復調され、データ検出部３で具体的な文字又は数字のデジタル信号として検出される。該文字又は数字のデジタル信号は一旦、連続数字検出部１６に送られ、予め登録されている数字及び特殊記号のデジタル信号と比較され、もしそれらデジタル信号が連続して検出された場合、前記連続数字検出部１６はその結果をＣＰＵ部４に送る。
【００２７】
図２（Ｂ）は、図１に示される本発明による情報端末装置における連続数字検出部１６の構成をより詳細に示すブロック図であり、メッセージを構成するデジタル信号が該連続数字検出部１６に入力されると、入力データ用レジスタ１６ａに格納される。前記連続数字検出部１６は、数字とコロン、カンマなどの特殊記号をデジタル化して予め登録し格納する数字／特殊記号データ格納部１６ｂを備え、さらに前記入力データ用レジスタ１６ａのデジタル信号と該数字／特殊記録データ格納部１６ｂのデジタル信号を比較する比較器１６ｃを備えている。この比較により、もし、入力されたメッセージのデジタル信号の中に、数字／特殊記号データ格納部１６ｂに登録されている記号を含む数字情報と一致している情報が連続して存在していることが検出された場合は、検出された記号を含む連続数字を固有情報として連続数字データ用レジスタ１６ｄに格納した後、前記連続数字検出部１６はその結果をＣＰＵ部４に送る。ＣＰＵ部４は、それらの連続したデジタル信号即ち記号を含む連続数字を他のメッセージとともに一旦レジスタ部５に収納し、ＣＰＵ部４はさらに該レジスタ部５の記号を含む連続数字データを表示制御部７に送り、表示制御部７はフォント格納部８より、例えば、ポジティブ表示からネガティブ表示に、或いは、細字から太字に、といった特殊フォントを選択し、記号を含む連続数字のみが該特殊フォントで前記メッセージ等とともに表示部９に表示される。
同様に送信しようとするメッセージ等をキー操作部１０の英数字入力キー１０ａで入力する場合においても、記号を含む連続した数字が入力されるとＣＰＵ部４は連続数字検出部１６により記号を含む連続数字であることを確認する。ＣＰＵ部４は入力されたメッセージ等を一旦レジスタ部５にストアし、それに対応したデータを表示制御部７に送るがその時記号を含む連続数字のデータは固有情報として前記特殊フォントで表示するように指示する。表示制御部７はそのコマンドに従いフォント格納部８より前記特殊フォントに対応した記号を含む数字のフォントを選択し、通常のフォントの送信メッセージとともに表示部９に表示する。
図３（Ｃ）は、このような連続数字の表示例を示すものである。
【００２８】
（実施例４）
本実施例は、受信されたメッセージの中に記号を含む連続数字が含まれるような場合に、上記実施例３で示される例と同様に記号を含む連続数字を検出した後に、記号を含む連続数字のみを一つの画面に編集して表示させるようにするものである。
即ち、信号ラインより入力されたメッセージ等を担う伝送信号を受信部１が受信すると、該信号は復調部２でベースバンド信号に復調されデータ検出部３で検出され、一旦レジスタ部５にストアされる。ＣＰＵ部４はこれらのデータを表示制御部７に送り表示制御部７はそのデータに従い、フォント格納部８よりそのフォントに対応した英数字を選別し表示部９に表示する。
ここで、キー操作部１０の編集キー１０ｅは、前記レジスタ部５にストアされているデータの中から記号を含む連続数字のみのデータ即ち固有情報のみを表示制御部７に送り、該表示制御部７が記号を含む連続する数字を固有情報として選択して表示部９に表示させるようコマンド（即ち固有情報のみの表示を指示する編集コマンド）を発する編集キーである。
キー操作部１０の編集キー１０ｅを押すと、ＣＰＵ部４はレジスタ部５にストアされているデータの中より記号を含む連続数字のみのデータ即ち固有情報のみを抽出して表示制御部７に送り表示制御部７はそのコマンドに従いフォント格納部８より数字を選択し表示部９に表示させることで画面上で記号を含む連続数字の部分のみが再度１つの画面に編集されて表示される。
図３（Ｄ）は、このようにしてメッセージ等の中から記号を含む連続数字のみが表示される例を示している。
【００２９】
【発明の効果】
請求項１の情報端末装置によれば、伝送情報、或いはコマンドによる入力情報といった情報端末装置で処理される情報を画面表示する場合に、表示画面に最もマッチしたフォントサイズで表示することができる。また、該伝送情報や入力情報の記号・文字数で表現される情報量に基づいて選択すべきフォントサイズを指定するための参照データを記憶しているので、文字数を計算して表示すべきフォントサイズを逐一算出して変更する従来の装置に比べて変更時間の短縮化を図ることができる。更に、記号を含む連続する数字を特殊フォントにより当該情報端末装置で処理される情報として表示画面に表示するようにしたので、メッセージ中の他の文字列と、記号を含む連続する数字との識別が容易となり、連続数字を含むメッセージ等の情報を視認性の高い表示とすることができる。また、メッセージ等の送信の場合には誤送信の防止に寄与する。
【００３０】
請求項２の情報端末装置によれば、伝送情報、或いはコマンドによる入力情報といった情報端末装置で処理される情報を画面表示する場合に、表示画面に最もマッチしたフォントサイズで表示することができる。また、該伝送情報や入力情報の記号・文字数で表現される情報量に基づいて選択すべきフォントサイズを指定するための参照データを記憶しているので、文字数を計算して表示すべきフォントサイズを逐一算出して変更する従来の装置に比べて変更時間の短縮化を図ることができる。更に、当該情報端末装置で処理される情報のうち重要情報である記号を含む連続数字で表現された固有情報のみを表示することにより視認性のより高い表示とすることができる。
【００３１】
請求項３の情報端末装置によれば、請求項１又は２の効果に加えて、受信したメッセージ等又は送信するメッセージ等の当該情報端末で処理される情報を自分の好みのフォントサイズに自由に変換できるので各ユーザにとって最も見やすい表示画面で表示することができる。また、メッセージ等を送信する場合には誤送信の防止に寄与する。
【図面の簡単な説明】
【図１】本発明による情報端末装置の一実施例の構成を示すブロック図である。
【図２】図１に示される本発明による情報端末装置の一実施例の構成における比較部（図２（Ａ））及び連続数字検出部（図２（Ｂ））をより詳細に示すブロック図である。
【図３】本発明による情報端末装置の表示画面における異なる表示状態例を示し、説明する図である。
【符号の説明】
１…受信部、２…復調部、３…データ検出部、４…ＣＰＵ部、５…レジスタ部、６…ＲＯＭ部、７…表示制御部、８…フォント格納部、９…表示部、１０…キー操作部、１０ａ…英数字入力キー、１０ｂ…送信キー、１０ｃ…アップキー、１０ｄ…ダウンキー、１０ｅ…編集キー、１１…データビット配置部、１２…変調部、１３…送信部、１４…文字数カウント部、１５…比較部、１５ａ…入力文字用レジスタ、１５ｂ…比較器、１６…連続数字検出部、１６ａ…入力データ用レジスタ、１６ｂ…数字／特殊記号データ格納部、１６ｃ…比較器、１６ｄ…連続数字データ用レジスタ。
【図１】
0003565682.tif 000002
【図２】
0003565682.tif 000003
【図３】
0003565682.tif 000004